(57)【特許請求の範囲】
【請求項１】
アンテナを保持するための保持具と，取り付け対象に取り付けるための取付具と，前記保持具と前記取付具を連結した状態で，前記保持具を前記取付具に対して揺動自在に固着する連結具と，を備えてなるアンテナ支持装置において，
前記連結具は，少なくとも先端部に雄ねじ部が形成されたボルト体と，当該ボルト体の雄ネジ部と螺合する雌ネジ部が形成されたナット体からなり，
前記保持具は，基体の前面にアンテナを取り付けるための装着面を備え，背面には前記基体の両端から突設された一対の片であって，相互に対向する位置に，前記ボルト体が挿通自在で，しかも当該ボルト体の軸心の配列方向に直交する方向に長手方向の軸線を有するスライド溝が形成された挟持片が備えられており，
前記取付具は，本体の背面に取り付け対象に取り付けるための取付面を備え，前面には前記本体の両端から突設され，前記挟持片と摺動挿着可能なように，前記挟持片の配列位置に対応するように設けられた一対の片であって，当該一対の片に対して軸心を一致させた状態で設けられ，前記ボルト体を挿抜自在に挿着する筒状の連結支持部が設けられた当付片を備えることによって，
前記保持具に形成されたスライド溝の軸線と前記取付具に形成された連結支持部の軸心を略一致させた状態で，前記スライド溝を介して前記ボルト体を前記連結支持部に挿着すると共に，当該ボルト体を前記ナット体に螺合することによって，前記保持部は，前記取付具に対して揺動自在に固着されるばかりでなく，更に前記スライド溝の長手方向の任意の位置にスライド自在に固着されるように構成したことを特徴としたアンテナ支持装置。
【請求項２】
前記一対の当付片の少なくとも一方に，当該当付片と対向するように設けられた突片であって，前記当付片に取り付けるための添付部と，当該添付部より前面側に位置して，前記挟持片を収容するための空間を有するように，前記添付部と段差を介して連設された圧接部と，からなる誘導片を備えており，
当該誘導片は，前記空間の開口部の大きさを可変できるように，前記添付部が前記当付片の背面側に対して揺動自在に蝶着されていることを特徴とした請求項１に記載のアンテナ支持装置。
【請求項３】
前記挟持片には，前記スライド長溝の開口端の周縁を囲うように形成され，前記当付片に対向する方向に突出させた堤防状の隆起部を備えさせており，
前記保持具を前記取付具に連結したときに，前記挟持片に形成された隆起部と前記当付片とが当接した状態で装着されることを特徴とした請求項１または請求項２の何れか一項に記載のアンテナ支持装置
【発明の詳細な説明】
【技術分野】
【０００１】
本発明は，アンテナ装置と壁面やアンテナマストなどの取り付け対象物との間に介設し，前記アンテナ装置を取り付け対象物に取り付けるためのアンテナ支持装置に関するものであり，詳しくは，簡単の構成で広範囲に方向調整が可能で，しかも，アンテナを多様な取付対象に取り付けることができるアンテナ支持装置に関する。
【背景技術】
【０００２】
アナログ放送の完全停波に向けて，地上デジタル放送を受信するための改修工事が，本格的に進められているなかで，地上デジタル放送を受信するためのＵＨＦアンテナは，従来からあるエレメント素子から構成された長尺の八木・宇多アンテナだけでなく，小型であっても高性能なアンテナが求められるようになった。そして，そのアンテナの設置場所も，従来のような屋根上に設置するだけではなく，ベランダや壁面などの多様な設置場所に設置できるものが求められ，更には，住宅等の何れの場所に設置しても違和感がないように，意匠的にも全く新しいデザインのアンテナが求められている。
また，ＵＨＦアンテナの性能やデザインばかりでなく，当該アンテナを設置場所に取り付けるためのアンテナ支持金具も，多様な設置場所に簡単に取り付けができ，しかも，設置場所における受信環境に対応するため，例えば方位角を広範囲に調整できる調整機構を備えさせるなど，簡単な構成で，しかも高機能な金具が求められるようになった，
【０００３】
このようなアンテナ支持装置の取り付け例として，アンテナを壁面に取り付ける場合について考えてみる。壁面取付の場合，アンテナを設置する壁面と，受信する電波の到来方向との位置関係によっては，方向調整機構の調整範囲が狭いアンテナ支持金具では，アンテナを電波到来方向に最適に向けることができない問題が生じる。
一方，方位角調整範囲が広いアンテナ支持装置では次に示すような問題が生じる。つまり，当該支持装置に取り付けるアンテナの大きさ，形状によっては，方位角の調整の際にアンテナの側端部が壁面に当接してしまうので，それを避けるために，アンテナを壁面から離して取り付けなければならない。しかしながら，このようなアンテナと壁面との距離の増加が必要となれば，それに対応するために支持装置の突出寸法を大きくしなければならないことから，アンテナ支持装置が大型化し重量も重くなる。
また，上述のように突出寸法を長くすると，アンテナに加わる風圧等によって生じる大きな力のモーメントがアンテナ支持装置に加わるので，支持装置は更に強固な構成なものが求められる。
更に加えて，アンテナ支持装置に加わる力が大きくなれば，壁面への取り付け工事もより強度が求められ，設置の困難性が高くなるのである。
【０００４】
上述した問題に対応するためのアンテナ支持装置の従来技術として，平面アンテナ用の取付金具について提案されているので説明する。この実施例は，平面アンテナパネル１の両端部を支持する一対の取付金具３，４を取付面２に固定し，この取付金具３，４には円弧状の溝からなるガイドレール５ａ，５ｂ，６ａ，６ｂを形成し，前記平面アンテナパネルの両端部には前記各ガイドレールに嵌入されてガイドレールに沿って移動される突起７ａ，８ａ，７ｂ，８ｂを形成したことを特徴としている。
この従来技術の説明図（第１図及び第２図）によれば，平面アンテナパネル１が取付面２に対して正対した状態（つまり，電波到来方向が取付面の正面側であるとき）では，平面アンテナパネル１が取付面２に対して低背な姿勢で取付金具３，４に収容され，図１及び第２図（ａ）のように右方向へ方位角の調整が必要な場合は，平面アンテナパネル１の一方側の側端部に備えさせた突起７ａ，８ａを回転軸として，平面アンテナパネル１の他方の側端部に備えさせた突起７ｂ，８ｂをガイドレール５ｂ，６ｂに沿って移動させることで行なわれる（左方向への調整が必要な場合は，第２図（ｂ）のように突起７ｂ，８ｂを回転軸とする）ので，この実施形態に係る方向調整構造よれば薄型化，小型化，軽量化が図れる。
（例えば，特許文献１参照）
【先行技術文献】
【特許文献】
【０００５】
【特許文献１】実開平３−０７７５１１号公報
【発明の概要】
【発明が解決しようとする課題】
【０００６】
ところがこの構成では，平面アンテナパネル１の両側端部に備えさせた突起７ａ，８ａと突起７ｂ，８ｂは，それぞれ回転軸として，または回転のガイド手段となるよう，前記ガイドレール５ａ，５ｂ，６ａ，６ｂに嵌入されているので，取付金具３，４の大きさ（特に横幅）は，平面アンテナパネル１の形状によって影響を受け，例えば利得を高くするために平面アンテナパネル１を大きくすると，それに伴い取付金具３，４も大きくなるといった問題があった。
また，この実施例による取付金具３，４は，上下に分離した構成であるので，平面アンテナパネル１のピッチに合わせて取り付ける必要があり，取付金具３，４の取付面２への取り付けは手間が係ると言った問題がある。
更に加えて，設置後のアンテナについて考えると，この実施例では上述したように，前記突起は回転軸の軸心としての手段の役割と，平面アンテナパネル１をガイドレール５ａ，５ｂ，６ａ，６ｂに沿わせて移動させるためのガイド手段の役割を有するものであるが，実質的には移動後の平面アンテナパネル１を，取付金具３，４に固定する固定手段としての役目を有するもので無ければならない。そうでないと，せっかく調整した平面アンテナパネル１の向きが，風などの影響によって維持できないからである。その為，この実施例では，方向調整後の平面アンテナパネル１を当該位置に固定するために，少なくとも上下２箇所（例えば７ｂ，８ｂ），確実に固定するには最大で上下４箇所（７ａ，８ａ，７ｂ，８ｂ）を固定する必要となることから，アンテナの固定のための手間が面倒であるという問題もあった。
そこで本願においては，上述したような従来技術の問題点を解決し，多様な取付対象に簡単にアンテナを取り付けることができるアンテナ支持装置を提供することを課題としてなされたものであり，
その目的は，簡単な構成で，広範囲に亘って方向調整を行うことができるアンテナ支持装置を提供することにある。
他の目的は，薄型化，小型化，軽量化が図れるアンテナ支持装置を提供することにある。
他の目的は，作業性の良いアンテナ支持装置を提供することにある。
【課題を解決するための手段】
【０００７】
上記課題を解決するために，請求項１の発明は，アンテナを保持するための保持具と，取り付け対象に取り付けるための取付具と，前記保持具と前記取付具を連結した状態で，前記保持具を前記取付具に対して揺動自在に固着する連結具と，を備えてなるアンテナ支持装置において，
前記連結具は，少なくとも先端部に雄ねじ部が形成されたボルト体と，当該ボルト体の雄ネジ部と螺合する雌ネジ部が形成されたナット体からなり，前記保持具は，基体の前面にアンテナを取り付けるための装着面を備え，背面には前記基体の両端から突設された一対の片であって，相互に対向する位置に，前記ボルト体が挿通自在で，しかも当該ボルト体の軸心の配列方向に直交する方向に長手方向の軸線を有するスライド溝が形成された挟持片が備えられており，前記取付具は，本体の背面に取り付け対象に取り付けるための取付面を備え，前面には前記本体の両端から突設され，前記挟持片と摺動挿着可能なように，前記挟持片の配列位置に対応するように設けられた一対の片であって，当該一対の片に対して軸心を一致させた状態で設けられ，前記ボルト体を挿抜自在に挿着する筒状の連結支持部が設けられた当付片を備えることによって，前記保持具に形成されたスライド溝の軸線と前記取付具に形成された連結支持部の軸心を略一致させた状態で，前記スライド溝を介して前記ボルト体を前記連結支持部に挿着すると共に，当該ボルト体を前記ナット体に螺合することによって，前記保持部は，前記取付具に対して揺動自在に固着されるばかりでなく，更に前記スライド溝の長手方向の任意の位置にスライド自在に固着されるように構成した。
【０００８】
請求項２の発明は，請求項１に記載のアンテナ支持装置において，前記一対の当付片の少なくとも一方に，当該当付片と対向するように設けられた突片であって，前記当付片に取り付けるための添付部と，当該添付部より前面側に位置して，前記挟持片を収容するための空間を有するように，前記添付部と段差を介して連設された圧接部と，からなる誘導片を備えており，当該誘導片は，前記空間の開口部の大きさを可変できるように，前記添付部が前記当付片の背面側に対して揺動自在に蝶着されているように構成した。
【０００９】
また，請求項１または請求項２の何れか一項に記載のアンテナ支持装置において，前記挟持片には，前記スライド長溝の開口端の周縁を囲うように形成され，前記当付片に対向する方向に突出させた堤防状の隆起部を備えさせており，前記保持具を前記取付具に連結したときに，前記挟持片に形成された隆起部と前記当付片とが当接した状態で装着されるように構成した。
【発明の効果】
【００１０】
請求項１の発明によれば，アンテナを保持するための保持具と，取り付け対象に取り付けるための取付具と，前記保持具と前記取付具を連結した状態で，前記保持具を前記取付具に対して揺動自在に固着する連結具と，を備えてなるアンテナ支持装置において，
前記連結具は，少なくとも先端部に雄ねじ部が形成されたボルト体と，当該ボルト体の雄ネジ部と螺合する雌ネジ部が形成されたナット体からなり，前記保持具は，基体の前面にアンテナを取り付けるための装着面を備え，背面には前記基体の両端から突設された一対の片であって，相互に対向する位置に，前記ボルト体が挿通自在で，しかも当該ボルト体の軸心の配列方向に直交する方向に長手方向の軸線を有するスライド溝が形成された挟持片が備えられており，前記取付具は，本体の背面に取り付け対象に取り付けるための取付面を備え，前面には前記本体の両端から突設され，前記挟持片と摺動挿着可能なように，前記挟持片の配列位置に対応するように設けられた一対の片であって，当該一対の片に対して軸心を一致させた状態で設けられ，前記ボルト体を挿抜自在に挿着する筒状の連結支持部が設けられた当付片を備えることによって，前記保持具に形成されたスライド溝の軸線と前記取付具に形成された連結支持部の軸心を略一致させた状態で，前記スライド溝を介して前記ボルト体を前記連結支持部に挿着すると共に，当該ボルト体を前記ナット体に螺合することによって，前記保持部は，前記取付具に対して揺動自在に固着されるばかりでなく，更に前記スライド溝の長手方向の任意の位置にスライド自在に固着されるように構成したことによって，
本発明に係るアンテナ支持装置によれば，簡単な構成であっても，常時は取り付け対象の一つである壁面に対して低背で取り付けることができ，しかも，アンテナ装置の方位角の調整が必要なときは，壁面とアンテナ装置の回転軸との距離を増加することなしに，広い方位角調整範囲を有するように構成することができる。
しかもこのように，広い方位角調整範囲を有するように構成しても，壁面とアンテナ装置の回転軸の距離を増して行く必要がないので，アンテナ支持装置の突出寸法を小さくでき，延いては，アンテナ支持装置の小型化，軽量化が図れると言った利点がある。
また，アンテナ支持装置の突出寸法が小さくなれば，アンテナ装置に加わる風圧によって生じるモーメント力を小さくできるので，アンテナ支持装置の構成を簡素化することができ，コストが安価になる。
更に，アンテナ支持装置に加わるモーメント力が抑えられることから，壁面への取り付け工事がより簡単に行えるようになるし，これに伴い設置工事の工数の低減が図れる。
【００１１】
好ましくは，請求項１に記載のアンテナ支持装置において，前記一対の当付片の少なくとも一方に，当該当付片と対向するように設けられた突片であって，前記当付片に取り付けるための添付部と，当該添付部より前面側に位置して，前記挟持片を収容するための空間を有するように，前記添付部と段差を介して連設された圧接部と，からなる誘導片を備えており，当該誘導片は，前記空間の開口部の大きさを可変できるように，前記添付部が前記当付片の背面側に対して揺動自在に蝶着されているように構成することによって，
前記取付具と前記保持具を組み付けるに当たっては，前記誘導片は重力によって自動的に下方に開いた状態にあり，当該誘導片の存在があっても，対向配置される前記当付片と誘導片が形成する空間内に，前記一方の挟持片を容易に受け入れることができ，組み付け性を損なうことは無い。そして，前記取付具と前記保持具を組み付けた後に前記連結具を組み付ければ，誘導片が一方の挟持片側に引き付けられ，当該挟持片は当付片と誘導片とで強固に挟持されることから，高信頼な方向調整構造を提供できる。
また，前記誘導片の存在によって，前記連結具のナット体を当該誘導片に一体的に備えさせることができ，前記連結具の組み付けにおいては，前記ボルト体を誘導片に備えられたナット体に螺合するだけで行なえることから，簡単且つ素早く組み付けることができる。
【００１２】
また好ましくは，請求項１または請求項２の何れか一項に記載のアンテナ支持装置において，前記挟持片には，前記スライド長溝の開口端の周縁を囲うように形成され，前記当付片に対向する方向に突出させた堤防状の隆起部を備えさせており，前記保持具を前記取付具に連結したときに，前記挟持片に形成された隆起部と前記当付片とが当接した状態で装着されるように構成したことによって，
相互に接触する部分の面積が少なくなり，その結果，当付片と挟持片との摩擦力を小さくすることができるので，保持具と取付具の組み付けが容易にできるようになる。また，寸法公差等によって挟持片の間隔が僅かに狭くなってしまって，隆起部と当付片の先端部が当接してしまうような場合でも，保持具と取付具を相互に押し付ければ，前記隆起部が前記当付片の先端部を容易に乗り越え，前記挟持片を僅かに外方向に撓ませながら挿着できることから，前記取付具と前記保持具の組み付けの容易性を損なうことは無い。
【図面の簡単な説明】
【００１３】
【図１】本発明のアンテナ支持装置の概略構成を示すために分解した斜視図である。
【図２】本発明のアンテナ支持装置を構成する部材の一例を示す図であり（ａ）は取付具，保持具及び連結具の側面図，（ｂ）は取付具と保持具を図１におけるＸ−Ｘ線から見た断面図である。
【図３】本発明のアンテナ支持装置の組み付け状態を示す図であり，（ａ）は図１におけるＸ−Ｘ線から見た断面図であり，（ｂ）は上面から見た図である。また，（ｃ）は本発明の取付具と保持具の連結状態の態様を説明するための上面図である。
【図４】本発明のアンテナ支持装置を備えたアンテナ装置を取付面に取り付けた場合の上面図であり，（ａ）は取付面の正面にアンテナ装置を向けた場合の取付図であり，（ｂ）は取付面から見て左方向（図では上方向）にアンテナ装置を傾けた場合の取付図である。
【図５】アンテナ支持装置の方位角調整範囲を説明するための上面図であり，（ａ）は本発明の構成を利用したアンテナ支持装置の説明図であり，（ｂ）は本発明の構成を備えていないアンテナ支持装置の説明図である。
【図６】本発明のアンテナ支持装置をアンテナマストに取り付けた状態を上から見た上面図である。
【発明を実施するための形態】
【実施例１】
【００１４】
以下に本発明の一実施形態について説明する。
図１は本発明が適用されたアンテナ支持装置５０の概略構成を示すために分解した斜視図である。
本発明のアンテナ支持装置５０は，後に詳述するように，壁面等で代表される取付面への取り付けができるばかりでなく，アンテナマストやベランダ等のような多様な設置場所に取り付けるように構成されている。
尚，以下の説明で方向を示す場合は，特に明記しない限りは，アンテナ装置６０の設置方向を基準とし，アンテナ装置６０の正面側が前側，若しくは前面と記載し，アンテナ装置６０は後面側が後側，若しくは背面と記載する。つまり図１における配置において，斜め左下側（手前側）が後側，若しくは背面であり，図の斜め右上側（奥行き側）が前側，若しくは前面である。
【００１５】
即ち，本発明のアンテナ支持装置５０は，アンテナ装置６０の背面６０ａに取り付けられて，アンテナ装置６０を保持するために用いられる保持具１０と，取り付け対象物に取り付けられて用いられる取付具２０と，前記保持具１０と前記取付具２０を揺動自在に連結するために用いられる連結具４５と，図５の１０１で示される取り付け対象物の他の例であるアンテナマストを挟み込んで取り付けるために用いられる挟持金具４０から構成されている。
【００１６】
前記連結具４５の一実施例について説明する。本発明の実施形態に係る連結具４５は，少なくとも先端部に雄ネジ部４６ａが形成された，所定の長さを有するボルト体４６と，当該ボルト体４６の雄ネジ部４６ａが螺合する雌ネジ部４７ａを設けたナット体４７から構成されている。
尚，本発明の実施形態では，前記ナット体４７は，後述する誘導片３０に一体的に設けられている例を示したが，別体として構成してもよく，特にこの実施形態に限定されない。また，連結具４５はボルト体４６とナット体４７で構成したが，前記保持具と取付具２０を蝶着できれば，この実施形態に限定されることは無い。
【００１７】
前記保持具１０は，基体１１の前面にアンテナ装置６０の背面６０ａに当て付け取り付けるための装着面１２を備え，基体１１の背面には当該基体１１の両端から突設された一対の挟持片１３ａ，１３ｂが形成されている。そして，この挟持片１３ａ，１３ｂの相互に対向する位置には，前記連結具４５を構成するボルト体４６が遊挿自在の幅で，しかも前記ボルト体４６の軸心の配列方向に直交する方向に，長手方向の軸線を有するスライド溝１４ａ，１４ｂが形成されている。
即ち，本発明の実施形態では，図１のように各構成要素が配置された状態では，前記ボルト体４６は前記スライド溝１４ａ，１４ｂに対して，図の上下方向に貫通するように挿着され，また，保持具１０に形成されたスライド溝１４ａ，１４ｂは，その長手方向の軸線がアンテナ装置６０の背面６０ａに沿うように配設されることから，前記保持具１０（即ち，前記アンテナ装置６０）は，前記ボルト体４６をガイド手段として，前記スライド溝１４の長さの範囲内の任意の位置にスライドさせることができ，しかも，当該任意の位置において，前記ボルト体４６を回転軸として揺動自在に支持されるように構成されている。
【００１８】
更に，前記スライド溝１４ａ，１４ｂの周縁には，当該スライド長溝１４ａ，１４ｂの開口端の周縁を囲うように形成され，前記挟持片１３ａ，１３ｂの内側方向に，相互に対向するよう突出させた堤防状の隆起部１５ａ，１５ｂがプレス等の手段によって押し出し成型されている。尚，この隆起部１５ａ，１５ｂは無くても良い。
また，前記基体１１には，基体１１の背面と装着面１２とを貫通する貫通孔１６が複数形成されており，当該貫通孔１６を介して，アンテナ装置６０の背面６０ａに形成された図には示されていないネジ孔に対して，アンテナ装置６０の取り付け用ネジ１７を螺合することによって行なわれ，アンテナ装置６０は保持具１０の装着面１２に固着される
【００１９】
次に取付具２０について説明する。本発明の取付具２０は，本体２１の背面に，取り付け対象に取り付けるための取付面２２を備え，前面には前記本体２１の両端から突設され，前記挟持片１３ａ，１３ｂと摺動挿着可能なように，前記挟持片１３ａ，１３ｂの配列位置に対応する間隔で設けられた一対の当付片２３ａ，２３ｂが形成されている。そしてこの当付片２３ａ，２３ｂの間には，軸心が前記当付片２３に直交するように一体的に設けられた連結支持部２９が備えられている。この連結支持部２９は，内部に前記連結具４５を構成するボルト体４６を遊挿自在に挿入できるほどの径に形成された挿通孔２９ａを備えた中空の筒体である。この連結支持部２９は前記連結具４５を構成するボルト体４６を挿通すると共に，前記当付片２３ａ，２３ｂとの間隔を所定の寸法に維持するためのスペーサーである。
【００２０】
取付具２０の取付面２２について，更に詳しく説明する。図１に良く示されているように，本体２１は略中央部を前面側に折り返すように凹ませた凹部が形成されている。この凹部は，図５に示されている，取り付け対象の一つであるアンテナマスト１０１に当て付けて取り付けるためのアンテナマスト当接部２４である。そして，このアンテナマスト当接部２４の両側にはネジ孔２５が形成されており，このネジ孔２５には，前記アンテナマスト１０１を挟持する前記挟持金具４０に備えられた締着ボルト４０ａを緊締することによって，この取付具２０はアンテナマスト１０１やベランダ等の支柱に固着することができる（図５参照）。
また，前記アンテナマスト当接部２４の両側にあって，前記ネジ孔２５が形成された平面は，この取付具２０を取り付け対象の一つである壁面に取り付けるための当付部２６であり，当該当付部２６を壁面に当接させながら，当付部２６に形成された取付孔２７，２８等の前面側から木ネジ等を使って，取付具２０を壁面１００に対して取り付けることができる（図４参照）。
【００２１】
更に，本発明の実施形態の取付具２０は，少なくとも一方の当付片（この実施形態では下側の当付片２３ｂ）に，当該当付片２３ｂに対向するように設けられた突片であって，前記保持具１０から突設されている挟持片（この実施形態では挟持片１３ｂ）を，挿抜自在に挟み込むように形成された誘導片３０が備えられている。
図１及び図２に示されているように，前記誘導片３０は，その前面側に前記挟持片１３ｂを受け入れるだけの空間３０ａを形成するために，金属体からなる板体３１を階段状になるように段差３２を有した形状に成型されており，この段差３２より前面側にあって一段低く位置する圧接部３３と，段差３２より背面側にあって，前記圧接部３３より一段高い位置にある添付部３４からなる。そして，この誘導片３０は，前記下側当付片２３ｂの外面（図では下面）の背面（図の手前）側に，前記添付部３４を当て付けながら，前記挟持片１３ｂに形成された孔３６ａに対して，タッピングビス３６等を螺合することによって取り付けられる。
【００２２】
加えて，前記誘導片３０の圧接部３３には，当該誘導片３０を前記挟持片２３ｂに取り付けたときに，前記連結支持具２９の軸心と同一軸心上に位置するように形成された孔であって，前記連結具４５を構成するボルト体４６の先端部が遊挿自在となるような内径を有した貫通孔３９ａが形成されている。更にこの実施例では，前記誘導片３０の外面（図では下面）側には，前記貫通孔３９ａの軸心と一致させるように，前記連結具４５を構成する部品である，内部に目ネジ４７ａが形成されたナット体４７が一体的に連設されている。
尚，本発明の実施形態では，誘導片３０に前記連結具４５のナット体４７を一体的に備えさせた例が示されているが，当該ナット体４７に変えて，誘導片３０に形成された前記貫通孔３９ａの内面に，前記ボルト体４６の雄ネジ部４６ａと螺合する雌ネジ部を形成しても良い。
【００２３】
ここで，前記誘導片３０について更に詳しく説明する。本発明の実施形態の誘導片３０は，図２（ａ）によく示されているように，取付具２０の一方の当付片２３ｂに取り付けられた状態で，前記挟持片１３ｂを受け入れる空間３０ａの開口部が，僅かに大きく開くように揺動自在に蝶着されている。具体的には，例えば前記タッピングビス３６を当付片２３ｂに形成された孔３６ａに完全に締め付けるのではなく，完全に締め付けられる手前，即ち，仮止めの状態にしておくことで実現できる。
このように，誘導片３０が揺動自在に取り付けられていることによって，前記取付具２０と前記保持具１０を組み付けるに当たっては，前記誘導片３０が図２（ａ）のように配設されている場合は，誘導片３０は重力によって自動的に下方に開いた状態にあり，当該誘導片３０の存在があっても，対向配置される前記当付片２３ｂと誘導片３０が形成する空間３０ａ内に，前記挟持片１３ｂを容易に受け入れることができ，組み付けの容易性を損なうことが無い。そして，前記取付具２０と前記保持具１０を組み付けた後に，前記ボルト体４６を前記ナット体４７に螺着して連結具４５を組み付ければ，前記誘導片３０が挟持片１３ｂ側に引き付けられ，当該挟持片１３ｂは当付片２３ｂと誘導片３０とで強固に挟持されることから，高信頼な方向調整構造を提供できる。
また，前記誘導片３０の存在によって，前記連結具４５のナット体４７を当該誘導片３０に一体的に備えさせることができ，前記連結具４５の組み付けにおいては，前記ボルト体４６を誘導片３０に備えられたナット体３０に螺合するだけで行なえることから，簡単且つ素早く組み付けることができる。
【００２４】
このように構成された保持具１０，取付具３０及び連結具４５の組み付け手順について図２，図３を用いて説明する。保持具１０と取付具２０の組み付けは，前記取付具２０の当付片２３ａ，２３ｂが，前記取付具１０の挟持片１３ａ，１３ｂに間に挟み込まれように，前記スライド溝１４ａ，１４ｂの軸線と，前記連結支持部２９の軸心とを一致するまで，摺動接触させつつ挿着する。この時，本発明の実施形態では，前記当付片２３ａ，２３ｂの外面と，前記挟持片１３ａ，１３ｂに形成された隆起部１５ａ，１５ｂの先端部とが，丁度接触するような間隔に配列されていることが望ましい。
このように本願発明の実施形態によれば，当付片２３ａ，２３ｂと隆起部１５ａ，１５ｂの先端部が接触しながら挿着する構成としたことによって，相互に接触する部分の面積が少なくでき，その結果，当付片２３と挟持片１３との摩擦力を小さくすることができるので，保持具１０と取付具２０の組み付けが容易にできるようになる。また，挟持片１３ａ，１３ｂの間隔が寸法公差等によって僅かに狭くなってしまって，隆起部１５ａ，１５ｂと，当付片２３ａ，２３ｂの先端部が当接してしまうような場合でも，保持具１０と取付具２０を相互に押し付ければ，前記隆起部１５ａ，１５ｂが前記当付片２３ａ，２３ｂの先端部を容易に乗り越え，前記挟持片１３ａ，１３ｂを僅かに外方向に撓ませながら挿着できることから，前記保持具１０と取付具２０の組み付けの容易性を損なうことは無い。
【００２５】
次に，スライド溝１４の軸線と連結支持部２９の軸心が略一致したなら，前記ボルト体４６を，上側の当付片１３ａに形成された前記スライド溝１４ａ側から，連結支持部２９の挿通孔２９ａに挿入する。そして挿入が完了したなら，ボルト体４６の先端部に形成された雄ネジ部４６ａを，誘導片２０に一体的に備えられているナット体４７の雌ネジ部４７ａに対して螺合することによって，取付具３０及び連結具４５の組み付けが完了し，図３（ａ）に示すように本発明のアンテナ支持装置５０が完成する。
更に，保持具１０と取付具２０を緊締するときは，前記連結具４５をしっかりと締め付ければ，前記挟持片１３ａ，１３ｂ及び誘導片３０がそれぞれ当付片２３ａ，２３ｂに押圧されることで確実にできる。しかも，上側の当付片２３ａと下側当付片２３ｂの間には，前記ボルト体４６と軸心を一致させるように，連結支持部２９が設けられているので，連結具４５によって挟持片１３ａ，１３ｂ及び誘導片３０が当付片２３ａ，２３ｂをしっかりと押圧しても，当付片２３ａと当付片２３ｂの間隔は所定の寸法を保つため，時間が経過しても連結具４５の締め付け具合が緩むことは無い。
尚，図２及び図３には，前記挟持金具４０の存在が示されていないが，予め取付具１０に対して組み付けておいてアンテナ支持装置５０を構成してもよいし，付属品として備えさせるようにしても良い。
【００２６】
ここで図３（ｂ）と（ｃ）を用いて，組み付けが完了したアンテナ支持装置５０の説明を行う。図３（ａ）は保持具１０と取付具２０を正対させたときのアンテナ支持装置５０を示した図であり，図３（ｃ）は本発明の取付具１０と保持具２０の連結状態の態様を説明するための上面図である。
本発明の実施形態では，前記保持具１０は，図３（ｃ）に良く示されているように，前記連結具４５のボルト体４６を回転軸として図の矢印Ｒのように揺動自在に回転させることができる。更に，本発明の実施形態では，保持具１０にスライド溝１４を備えたことによって，保持具１０はボルト体４６をガイド手段として，前記スライド溝１４の軸線に沿うように，前記スライド溝１４の長さの範囲内の任意の位置に，スライド（図の矢印Ｆ。図では上下方向）可能となり，当該任意の位置において揺動させることができる。
即ち，本発明に係るアンテナ支持装置５０は，アンテナ装置６０を取り付けるための保持具１０が，前記ボルト体４６をガイド手段としてスライド可能に構成されていることによって，アンテナ装置６０の方位角の調整に際し，アンテナ装置６０の回転軸（即ち，ボルト体４６）の位置を，前記スライド溝１４の長さの範囲内の任意の位置で変えることができるように構成されているのである。
【００２７】
このように構成されたアンテナ支持装置５０の具体的な使用例について，図４を用いて説明する。この図４は本発明のアンテナ支持装置５０の取り付け対象の一つである壁面１００に，本発明のアンテナ支持装置５０を介してアンテナ装置６０を取り付けた状態を示す上面図である（つまり，図４の上下方向が水平線であり，図の手前側から奥行き方向が鉛直方向を示している。）。尚，この図４において，図の手前側と奥行き方向を水平線，図の上下方向を鉛直方向とすれば，図４は壁面１００に取り付けられた状態を示す側面図に置き換えることができる。
【００２８】
図４（ａ）は，電波到来方向が取付面１００の正面（具体的には，方位角が略０°）である場合の設置例を示しており，保持具１０の回転軸であるボルト体４６，即ち，アンテナ装置６０の回転軸が，スライド溝１４の略中央に位置している例が示されている。尚，前記保持体１０をスライドさせて，スライド溝１４の長さの範囲内の何れの位置に回転軸を決めても良い。
次に図４（ｂ）は，電波到来方向が図の上側（即ち，取付面１００から見て左側方向）である場合の設置例を示しており，アンテナ装置６０の回転軸であるボルト体４６の位置はスライド溝１４の図における左斜め上（即ち，取付面１００から見て左端）に位置する例が示されている。この実施例でも，スライド溝１４の長さの範囲内の何れの位置に回転軸を決めても良い。
【００２９】
ここで，本発明に係るアンテナ支持装置５０の作用について図５を用いて説明する。図５も図４と同様に上面から見た図である。この図５（ａ）において矢印Ａ°で示されているのが，保持体１０を，ボルト体４６をガイド手段としてスライドさせることによって，保持体１０（即ち，アンテナ装置６０）の回転軸がスライド溝１４の左端側に位置するようにした場合の，アンテナ支持装置５０の方位角調整範囲の左側半分の可変領域である（左右方向には±Ａ°の可変範囲となる）。これに対して，図５（ｂ）で示されている例は，ボルト体４６が保持具１０の中央部にあって，その位置を移動させることができないアンテナ支持装置１５０の例を示しており，図中において矢印Ｂ°で示されているのが，アンテナ支持装置１５０の方位角調整範囲の左側半分の可動領域である（左右方向には±Ｂ°の可変範囲となる）。
【００３０】
この例から分かるように，回転軸であるボルト体４６の位置が固定されているアンテナ支持装置１５０に対して，方位角の調整範囲を広くしようとすると，アンテナ装置６０を傾けたときに，アンテナの側端部が取付面に対して重合しないよう，アンテナ装置６０の横幅に応じて，壁面１００からボルト体４６までの距離を増して行く必要がある。具体的には図５（ｂ）に良く示されているように，回転軸が固定されたアンテナ支持装置１５０を用いて，本願発明のアンテナ支持装置５０と同等の方位角調整範囲（略±Ａ°）を持たせようとすると，壁面１００とボルト体４６の距離は，本発明のアンテナ支持装置５０の距離Ｌ１より，更にＬ２だけ距離を増した位置４６´まで前方に突出させる必要が生じる。尚，図５（ｂ）に示されている実施例によれば，その距離（Ｌ１＋Ｌ２）は距離Ｌ１の略１．４５だけ長くなる。
つまり，この実施例のように壁面１００と回転軸であるボルト体４６との距離の増加を認めると，アンテナ支持装置１５０の突出寸法が大きくなって重くなるし，また，アンテナ支持装置１５０の強度は，アンテナ装置６０に加わる風圧によって生じるモーメント力に耐え得る強度にしなければならないと言った問題が生じる。
更に加えて，アンテナ支持装置１５０に加わる力が大きくなれば，壁面１００への取り付け工事もより強度が求められ，壁面１００への設置の困難性が高くなると言った問題が考えられるのである。
【００３１】
ところが，本願発明のアンテナ支持装置５０によれば，保持具１０が前記ボルト体４６をガイド手段として，前記スライド溝１４に沿うように移動可能にしたことによって，保持具１０の回転軸（つまり，アンテナ装置６０の回転軸）の位置を変えることができることから，例えば，図５（ａ）のように左側に方位角の調整を行なう場合について考えてみると，アンテナ装置６０の側端部が壁面１００と重合しないように，保持体１０つまりはアンテナ装置６０を，壁面１００から図の右斜め下方向にスライドさせながら，スライド溝１４の左端側に，ボルト体４６を位置させることで，壁面１００からボルト体４６の距離を増加させることなく，更に広い方向調整範囲を得ることができるのである。具体的には，図５に示した実施例では，壁面１００とボルト体４６の距離がＬ１で，アンテナ装置６０の大きさも同じである条件では，アンテナ支持装置１５０の方位角調整範囲（±Ｂ°）は略±４０°であったのに対して，本願発明のアンテナ支持装置５０の方位角調整範囲（±Ａ°）は略±６０°となり，調整範囲が約１．５倍に広くすることができる。
【００３２】
以上のように，本発明のアンテナ支持装置５０によれば，簡単な構成でもって，常時は壁面１００に対して低背で取り付けることができ，しかも，アンテナ装置６０の方位角の調整が必要なときは，壁面１００とアンテナ装置６０の回転軸（ボルト体４６）との距離Ｌ１の増加をすることなしに，広い方位角調整範囲を有するように構成できるのである。
しかもこのように，広い方位角調整範囲を有するように構成しても，壁面１００から回転軸であるボルト体４６までの距離を増して行く必要がないので，アンテナ支持装置５０の突出寸法が小さくでき，延いてはアンテナ装置の小型化，軽量化が図れると言った利点がある。
また，アンテナ支持装置５０の突出寸法が小さくなれば，アンテナ装置６０に加わる風圧によって生じるモーメント力を小さくできるので，アンテナ支持装置５０の構成を簡素化することができ，コストが安価にできる。
更に，アンテナ支持装置５０に加わる力が抑えられることから，壁面１００への取り付け工事がより簡単に行えるようになるし，これに伴い工数の低減が図れる。
【００３３】
尚，本発明は，以下に示すように本発明の趣旨を逸脱しない範囲で各部の構成を適宜に変更して実施することも可能である。
上記実施例は，図１のように各構成要素が配置された状態，具体的には，水平偏波で送信されてくる地上デジタル放送の電波を受信する場合のアンテナ支持装置について説明したが，地上デジタル放送の電波が垂直偏波で送信されてくる場合には，図４から図６で示されている図の手前側と奥行き方向を水平線，図の上下方向を鉛直方向と読み替えれば，図４から図６の図は壁面１００や手すり１０１に取り付けられた状態を示す側面図に置き換えることができる。
【符号の説明】
【００３４】
１０…保持具，１１…基体，１２…装着面，１３（１３ａ，１３ｂ）…挟持片，１４（１４ａ，１４ｂ）…スライド溝，１５（１５ａ，１５ｂ）…隆起部，１６…貫通孔，１７…取り付け用ネジ，２０…取付具，２１…本体，２２…取付面，２３（２３ａ，２３ｂ）…当付片，２４…アンテナマスト当接部，２５…ネジ孔，２６…当付部，２７・２８…取付孔，２９…連結支持部，２９ａ…挿通孔，３０…誘導片，３１…板体，３２…段差，３３…圧接部，３４…添付部，３５…ネジ孔，３６…タッピングビス，３６ａ…孔，４０…挟持金具，４０ａ…締着ボルト，４５…連結具，４６…ボルト体，４６ａ…雄ネジ部，４７…ナット体，４７ａ…雌ネジ部，５０…アンテナ支持装置，６０…アンテナ装置，６０ａ…背面，１００…壁面，１０１…アンテナマスト，１５０…アンテナ支持装置
【図１】
0005513173.tif 000002
【図２】
0005513173.tif 000003
【図３】
0005513173.tif 000004
【図４】
0005513173.tif 000005
【図５】
0005513173.tif 000006
【図６】
0005513173.tif 000007